(57)【要約】【課題】フェースプレート本体とボディー部材とが強固に固定でき、かつ軽量で低重心を容易に実現できるゴルフクラブヘッドを提供すること。【解決手段】ソールプレート４をチタン合金により一体的に形成したフェースプレート本体１の背面に、炭素繊維強化樹脂材よりなる中空のカルー部材１０を接合し、このボディー部材１０を、ソールプレート４と、上面にバランスウェイト２２、２３を取付けた狭持プレート２０との間で狭持固定するようにしたもの。【選択図】　　　　図１
2004065810.tif 000002
【特許請求の範囲】
【請求項１】
炭素繊維強化プラスチックにより構成され、一側部に開口部を有する中空袋状のボディー部材と、シャフト固定座、打撃フェイス部、及びソール部が一体に形成された金属製のフェイスプレート部材と、前記ボディー部材に収容可能な挟持プレートとからなり、
前記ボディー部材の開口部を前記打撃フェイス部に係合させた状態で、前記ボディー部材が前記ソール部と前記挟持プレートとに挟持された状態でネジにより前記フェイスプレート部材に固定して構成されたゴルフクラブ。
【請求項２】
前記フェイスプレート部材の少なくとも上面領域に、背面側に張り出した覆い部が形成され、前記ボディー部材の開口部周辺に前記覆い部と係合する段部が形成されている請求項１に記載のゴルフクラブ。
【請求項３】
前記覆い部と前記段部とが接着剤により固定されている請求項２に記載のゴルフクラブ。
【請求項４】
前記フェイスプレート部材の少なくとも上面領域に、背面側に張り出した覆い部が形成され、前記覆い部との間に前記ボディー部材を収容できる間隙を有するようにリブが形成され、前記リブと前記ボディー部材とがネジにより固定されている請求項１に記載のゴルフクラブ。
【請求項５】
前記ネジが前記フェイスプレートのスイートスポットに対応する位置である請求項４に記載のゴルフクラブ。
【請求項６】
前記挟持プレートが、金属材により構成され、前記ソール部の外周形状に対応するように略「Ｕ」型に形成されている請求項１に記載のゴルフクラブ。
【請求項７】
前記挟持プレートにバランスウェイトが固定されている請求項１に記載のゴルフクラブ。
【請求項８】
前記挟持プレートに前記ボディー部材の上部に到達する補強用金属板が固定されている請求項１に記載のゴルフクラブ。
【請求項９】
前記フェイスプレート部材の少なくとも上面領域に、背面側に張り出した覆い部が形成され、前記覆い部との間に前記ボディー部材を収容できる間隙を有するようにリブが形成され、また前記挟持プレートに前記ボディー部材の上部に到達する補強用金属板が固定され、前記補強用金属板及び前記ボディー部材がネジにより前記リブに固定されている請求項１に記載のゴルフクラブ。
【請求項１０】
前記打撃フェース部が、リング状の窓に金属板を固定して形成されている請求項１に記載のゴルフクラブ。
【請求項１１】
前記挟持プレートの背面領域が、前記ボディー部材の背面の立ち上がり部まで延長されている請求項１に記載のゴルフクラブ。
【請求項１２】
前記挟持プレートの背面と、前記ボディー部材の背面とがネジにより固定されている請求項１に記載のゴルフクラブ。
【発明の詳細な説明】
【０００１】
【発明の属する技術分野】
本発明は、異種材料で構成された２部材を組み付けて構成されたゴルフクラブのヘッド構造に関する。
【０００２】
【従来の技術】
大きな飛距離を持たせるために打球面に剛性の大なる素材を用い、また安定的な方向性を持たせるためにヘッドを大きくすることはゴルフクラブの近年の傾向をなしている。
【０００３】
これらの条件を満足させるために、本体部分を、強度、及び弾性が大でしかも比重の小さな炭素繊維強化樹脂材により形成するか、比強度が大でしかも比重の小さなチタン合金により形成することが行われてきたが、これにしても重量的な規制からヘッドを大きくすることには限界があり、また、特開平２００１−３４０４９９号公報で提案しているように、熱を受けて硬化する炭素繊維強化樹脂をヘッド成形型内でホットプレスすることにより、中空の本体部分をそのものの硬化作用によってチタン合金よりなるフェースプレートに直接接合するようにしたものでは、強い衝撃力が作用するこの種のゴルフクラブを長期に使用した場合に剥離しかねないという問題が生じる。
【０００４】
【発明が解決しようとする課題】
本発明はこのような問題に鑑みてなされたもので、その目的とするところは、比重の小さな炭素繊維強化樹脂よりなる中空のボディー部材を剛性の大なるチタン合金よりなるフェースプレートに強固に固定することによって、大きな飛距離と安定した方向性を保つことができると同時に、ヘッドのより緻密な重量配分をも可能にする新たなゴルフクラブヘッドを提供することにある。
【０００５】
【課題を解決するための手段】
すなわち、本発明はかかる課題を達成するためのゴルフクラブヘッドは、炭素繊維強化プラスチックにより構成され、一側部に開口部を有する中空袋状のボディー部材と、シャフト固定座、打撃フェイス部、及びソール部が一体に形成された金属製のフェイスプレート部材と、前記ボディー部材に収容可能な挟持プレートとからなり、前記ボディー部材の開口部を前記打撃フェイス部に係合させた状態で、前記ボディー部材が前記ソール部と前記挟持プレートとに挟持された状態でネジにより前記フェイスプレート部材に固定して構成されている。
【０００６】
【発明の実施の形態】
そこで以下に本発明の実施例について説明する。
図１（イ）、（ロ）は本発明のゴルフクラブの一実施例を、上面及び底面から見た構造を示すものであり、また図２はボディー部材を取外して内部の構造を示す図である。
【０００７】
図１、２において符号１は、鋳造やプレスにより形成した反発係数が大きく、比重が小さい金属材料、例えばチタン合金よりなるフェースプレート本体で、ゴルフクラブヘッドの打球面を形作るリング状のフレーム部２と、シャフト９との結合部３と、フレーム部２の下縁から背面へ延びるソールプレート部４とによって断面２次モーメントが最大になるように一体的に形成されている。
またフレーム部２の上縁には、ボディー部材１０の上面を保護するため、及びボディー部材１０との接合を強化するための覆い部５が庇状に突出形成され、さらに、このフレーム部２には、圧延により形成されたチタン合金の圧延材からなる肉薄のフェースプレート６がレーザ溶接等により一体的に固定されている。
【０００８】
これに対してボディー部材１０は、クラブヘッドの後部を覆うべく炭素繊維強化樹脂材により袋状に形成されていて、開口部１１の前端にはフェースプレート本体１の覆い部５が同一面をなして重なり合うよう一段低い段部１２が形成されている。
【０００９】
図中符号２０は、狭持プレートで、ソールプレート４との間で上述したボディー部材１０を強固に固定すると同時に、このゴルフクラブヘッドに所要のバランスウェイト２２、２３を保持させるものである。挟持プレート２０は、この実施例ではソールプレート４の輪郭に沿わせるような大きさに形成したほぼＵ字形に構成され、フェースプレート６から最も離れた位置に台状のウェイトホルダ２１が固定されている。
ウェイトホルダ２１の上及び狭持ホルダ２０の上面適所には、適宜の重さを有する複数のバランスウェイト２２、２３が取付けられており、ソールプレート４とボディー部材１０を一体的に締付け固定するための複数のネジ孔２４‥‥が穿設されている。
【００１０】
このように構成された各部材は、はじめに、ボディー部材１０の内の底面にネジ孔２４…を合わせるようにして狭持プレート２０を接着剤などにより仮付けする。
【００１１】
ボディー部材１０の上縁の段部１２に覆い部５を重ね合わせるようにしてフェースプレート本体１の背面にボディー部材１０を当接した上、ソールプレート４の下面から狭持プレート２０のネジ孔２４…にネジ２５を挿通させ、ソールプレート４と狭持プレート２０との間にボディー部材１０を挟むようにして締付ける。なお、必要に応じて、ボディー部材１０の上縁の段部１２と覆い部５とのいずれかに接着剤を塗布してボディー部１０の開口部１１をフェースプレート本体１の強固に固定する。
【００１２】
したがって、このようにして組付けられたゴルフクラブヘッドは、スイング中に最も大きな遠心力が作用するソールプレート４部分にボディー部材１０がネジ２４…によって固定され、かつフェースプレート本体１の背面側の覆い部５がボディー部材１０の段部１２と係合しているため、ヘッドは全体としてきわめて安定に一体に結合されていることになる。
【００１３】
そして、比重の小さな炭素繊維強化樹脂材よりなるボディー部材１０によってヘッドを中空に構成したこと、及びソールプレート４に固定した狭持プレート２０にバランスウェイト２２、２３を取付けたことにより、軽量でしかも低重心のゴルフクラブヘッドを構成することができる。
また、打球の際に打球点Ｏを支点として図中時計方向に回動しようとする力を、略「Ｕ」字形に形成された金属製の締め狭持プレート２０と、打球点Ｏから最も離間した位置に設けたウェイトホルダ２１上のバランスウェイト２２とにより抑えて安定したショットを可能にする。
【００１４】
さらに、フェースプレート本体１は、その背面全周が、炭素繊維強化樹脂材からなる均質のボディー部材１０に固定されているため、ゴルフボールによる衝撃によっても均一に弾性変形して安定したショットを可能にする。
なお、ミスショットによりゴルフボールがクラブの上面をこすったとしても、金属製の覆い部５が上面側に張り出しているため、ボディー部材１０の開口部１１の近傍を損傷するのを防止できる。
【００１５】
図４（イ）は、本発明の第２の実施例を示すものであって、この実施例においてはフェースプレート６のスイートスポットの中心点を通る垂線と交差する位置に、溶接により、またはフェースプレート本体１の鍛造と同時に覆い部５からボディー部材１０を挟み込める程度の間隙を形成するようにボディー部材１０の上面側に突出するリブ７が形成されている。
【００１６】
したがって、ボディー部材１０を前述の実施例と同様にフェースプレート本体１に固定した上で、ボディー部材１０の上部のネジ孔８から沈頭ネジ９を挿入して締め付ける。これにより、図４（ロ）に示したようにボディー部材１０は、下面ばかりでなく上面もフェースプレート本体１に強固に固定されることになる。なお、沈頭ネジ９は、スイートスポットを示すマークとなるからデザイン的に違和感を与えることがない。
【００１７】
図５（イ）は、本発明の他の実施例を示すものであって、この実施例では狭持プレート２０の、覆い部５に対向する位置に補強用の金属板２６を固定し、その上部をボディー部材１０の上部に当接させ、必要に応じて沈頭ネジにより固定したものである。
【００１８】
なお、補強用の金属板２６をリブ７の側に折り曲げ、折り曲げ部２６ａをリブ７とボディー部材１０との間に挟んで沈頭ネジ９により固定してもよい。
【００１９】
ところで、図６に示した実施例は、ソールプレート３４の後端３５をボディー部材１０の後端を覆い得る位置まで延出するとともに、狭持プレート３０の後端をもボディー部材１０の内奥に達する位置まで延出した上、ボディー部材１０の下面と後端面とをソールプレート３４の後端３５と狭持プレート３０の内端３１との間でネジ２５により強固に固定するようにしたもので、図中符号２２は狭持プレート３０の内端３１の立上がり部分に固定したバランスウェイトを示している。
【００２０】
なお、上述の実施例においては、フェースプレート６を別部材として構成し、フレーム部２に固着しているか、フェースプレートをフェースプレート本体１と一体に形成しても同様の作用を奏する。
【００２１】
【発明の効果】
以上述べたように本発明によれば、炭素繊維強化樹脂材よりなる中空のボディー部材を、フェースプレート本体の下縁から延出したソールプレートと、上面をバランスウェートの取付け部となした狭持プレートとの間で狭持するようにしたので、異種材よりなるボディー部材とフェースプレート本体とを強固に固定することができるばかりでなく、この狭持プレートを利用してバランスウェイトを取り付けることがてきて、ウェイトの配置の自由度を高めて、この種のヘッドに低い重心位置を持たせることできるともに、打球点廻りの回動をも抑えて、軽量でしかも安定した打球機能を付与させることができる。
【図面の簡単な説明】
【図１】図（イ）、（ロ）はそれぞれ本発明の一実施例を示す斜視図である。
【図２】本発明の一実施例を示すゴルフクラブヘッドの分解斜視図である。
【図３】同上ヘッドの組立て状態を示した透視斜視図である。
【図４】図（イ）、（ロ）は、それぞれ本発明の一実施例を示すゴルフクラブヘッドの分解斜視図と、固定領域の断面を示す図である。
【図５】図（イ）、（ロ）は、それぞれ本発明の他の実施例をヘッドに組立て状態で示す透視斜視図である。
【図６】本発明の他の実施例を示すゴルフクラブヘッドの斜視図である。
【符号の説明】
１　フェースプレート本体
４、３４　ソールプレート
７　反響板
１０　ボディー部材
２０、３０　挟持プレート
２２、２３　バランスウェイト
【図１】
2004065810.tif 000003
【図２】
2004065810.tif 000004
【図３】
2004065810.tif 000005
【図４】
2004065810.tif 000006
【図５】
2004065810.tif 000007
【図６】
2004065810.tif 000008